(57)【要約】      （修正有）【課題】鶏卵を容器から冷蔵庫へ個々に移し替える煩わしさを伴うことなく、容易迅速に冷蔵庫内に収容でき、取り出しに際しても、鶏卵を容器から個々に取り出して冷蔵庫内に移し替えた時と同様に、直ちに取り出すことができるようにした鶏卵包装体の提供。【解決手段】鶏卵の下半部を個別に収容する個別凹部を備えた容器本体１と、鶏卵の上半部か上面を覆う蓋体２との折り曲げヒンジ部３またはその近接部分に、容器本体１と蓋体２とを分離する分離容易な分離手段４が施され、容器本体１の個別凹部に鶏卵が収容され、その上面が蓋体２で覆われ、フランジ部２２どうしが重合された状態で、背面側に接着剤を塗布した封緘用接着テープ５によって側面視横Ｕ字形に折り曲げ挟持されてテープ止めされているか、スポット加熱手段やローラー加熱手段のような加熱溶着かによって、分離容易に封緘されている構成とした。【選択図】図４
0003135717.tif 000002
【実用新案登録請求の範囲】
【請求項１】
鶏卵の下半部を個別に収容する個別凹部(11)を備えた容器本体(1)と、鶏卵の上半部か上面を覆う蓋体(2)とが、折り曲げ自在としたヒンジ部(3)を介して連結され、該ヒンジ部(3)またはその近接部分に、容器本体(1)と蓋体(2)とを分離する分離容易な分離手段(4)が施され、前記容器本体(1)における個別凹部(11)に鶏卵がそれぞれ収容され、その上面が蓋体(2)で覆われ、これら容器本体(1)と蓋体(2)との遊端側に形成されたフランジ部(12，22)どうしが重合された状態で、背面側に接着剤を塗布した封緘用接着テープ(5)によって側面視横Ｕ字形に折り曲げ挟持されてテープ止めされているか、スポット加熱手段やローラー加熱手段のような加熱溶着(6)かによって、分離容易に封緘されている鶏卵包装体。
【考案の詳細な説明】
【技術分野】
【０００１】
本考案は、鶏卵包装用容器の容器本体に形成してある鶏卵収容凹部に、鶏卵を４個なり６個なり１０個なり或いは１２個なりの所要個数を収容させて包装してある鶏卵包装体に関するものである。
【背景技術】
【０００２】
現在、これらの鶏卵包装用の容器は、主としてポリエチレンテレフタレート（ＰＥＴ）樹脂のシート素材を使用して、周知の圧空成形手段や真空成形手段またはそれらを併用した加熱膨出成形手段によって成形された鶏卵包装用容器を用いて、その容器内に鶏卵を収容させて適宜の封緘手段を用いて封緘した後、販売に供されている。このことは広く一般に知られている。また、前記ポリエチレンテレフタレート樹脂等の石油系樹脂の他に、地球温暖化防止という環境問題改善の観点から、自然循環型またはカーボンニュートラル素材とされる植物由来の生分解性樹脂を用いた容器も研究開発されつつある。
【０００３】
この種の鶏卵包装用容器にあっては、容器本体とその上面を覆う蓋体とが折り曲げ部を介して一体的に形成されていて、容器本体に対して蓋体を折り曲げ部から折り曲げて容器本体の上に重ね合わせることによって鶏卵の上方を覆わせる方式のものが一般的である。本考案は、この一般的な鶏卵包装用容器を使用するものである。
【０００４】
而して、この鶏卵包装用容器の封緘手段としては、容器本体と蓋体とが折り曲げヒンジ部を介して一体的に形成させてある容器に鶏卵を収容した後、これら容器本体と蓋体との遊端側に突出形成させてある重ね合わせ用の接合フランジ部どうしを、背面側に接着剤を塗布した接着テープを側面視横Ｕ字形に折り曲げて接着させて接合するとか、スポット加熱手段やローラー加熱手段を用いて溶着する等の封緘手段が採られている。
【０００５】
他方、容器本体と蓋体とが一体的に形成されている容器であって、遊端側の接合フランジ部が前記のようにスポット加熱手段やローラー加熱手段によって強固に溶着される封緘手段が採られている場合には、該接合フランジ部を開封することが困難であるため、別の開封手段として、折り曲げ部に２列のミシン目を形成して、そのミシン目間を引きちぎることによって開封するとか、この折り曲げ部に予め切断開封用の糸または紐を取り付けておいて、その糸または紐を引っ張ることによって容器を切断開封するという開封手段が採られている。
【０００６】
前記の容器本体と蓋体との遊端側に突出形成させてある重ね合わせ用の接合フランジ部どうしを、背面側に接着剤を塗布した接着テープを用いて接着させて封緘するという手段は、本出願人によって既に提案され公知になっている。（特許文献１）
【０００７】
また、容器本体と蓋体との折り曲げ部に予め切断開封用の糸または紐を取り付けておいて、その糸または紐を引っ張ることによって容器を切断開封するという開封手段についても、本出願人によって既に提案され公知になっている。（非特許文献１）
【特許文献１】特開平１２−４４８９９号公報
【非特許文献１】実公平１−２８０５０号公報
【考案の開示】
【考案が解決しようとする課題】
【０００８】
しかしながら、従来の容器内に鶏卵を収容したこの種の鶏卵包装体にあっては、前者の折り曲げ部に２列のミシン目を形成してそのミシン目間を引きちぎることによって容易に開封できるようにした容器や、この折り曲げ部に予め取り付けておいた糸または紐を引っ張ることによって容易に開封できるようにした容器にあっては、遊端側の接合フランジ部がスポット加熱手段やローラー加熱手段によって強固に固定されていた。他方、容器遊端側の接合フランジ部を接着テープで接着させることにより、このテープを引っ張って容易に開封できるようにした容器にあっては、前記折り曲げ部には、何らの開封手段も形成されていない。
【０００９】
従来及び現行のこの種鶏卵包装体にあっては、前記テープ封緘の場合はテープを引っ張って開封し、加熱融着による封緘の場合には折り曲げ部を開封し、容器を半開き状態として鶏卵を容器から一つづつ取り出し冷蔵庫の鶏卵収容部に入れ替えるか、容器に卵が入ったままの状態で容器ごと冷蔵庫の卵収容部に入れるか、一般冷蔵室に入れていた。
【００１０】
このような従来の鶏卵保存方法のうち、前者の鶏卵を容器から一つづつ取り出して鶏卵収容部に入れ替える場合には、その入れ替えが面倒であり、後者の容器ごと保管する場合には、次回の卵使用の都度容器の蓋を開きながら取り出さなければならないという煩雑さを伴うものであった。
【００１１】
そこで本考案は、このような従来の鶏卵包装体が有していた鶏卵の冷蔵庫への保管時に入れ替えの面倒さを伴うことなく、容易に冷蔵庫内に収容することができ、収容が容易にできるものでありながら、冷蔵庫からの鶏卵の取り出し時には、何らの煩雑さを伴うことなく、鶏卵を容器から取り出して一つづつ入れ替えた時と同様に直ちに取り出すことができるようにした鶏卵包装体を開発するに至ったのでここに提供しようとするものである。
【課題を解決するための手段】
【００１２】
該目的を達成するために講じた本考案にかかる鶏卵包装体の構成を実施例説明に用いた符号を用いて説明すると、鶏卵の下半部を個別に収容する個別凹部１１を備えた容器本体１と、鶏卵の上半部か上面を覆う蓋体２とが、折り曲げ自在としたヒンジ部３を介して連結され、該ヒンジ部３またはその近接部分に、容器本体１と蓋体２とを分離する分離容易な分離手段４が施され、前記容器本体１における個別凹部１１に鶏卵がそれぞれ収容され、その上面が蓋体２で覆われ、これら容器本体１と蓋体２との遊端側に形成されたフランジ部１２，２２どうしが重合された状態で、背面側に接着剤を塗布した封緘用接着テープ５によって側面視横Ｕ字形に折り曲げ挟持されてテープ止めされているか、スポット加熱手段やローラー加熱手段のような加熱溶着６かによって、分離容易に封緘されている構成としたものである。
【考案の効果】
【００１３】
このような構成とした本考案にいうところの鶏卵包装体は、購入後における冷蔵庫内への鶏卵の保管に際して、フランジ部を封緘用接着テープによって封緘してある容器にあっては、該テープを引き剥がすか、ヒンジ部側の分離手段を利用してヒンジ部に沿って容器を切断開封するかの両開封手段を利用して、また、フランジ部を加熱融着手段によって封緘してある容器の場合には、ヒンジ部側の分離手段を利用してヒンジ部に沿って容器を切断開封した後に、半開状態となった蓋体を容器本体から引き剥がすようにして、蓋体を容器本体から分離除去した状態として、鶏卵を容器本体とともに、冷蔵庫内の卵収容部か一般冷蔵室に収容させることができる。
【００１４】
このように、本考案にいう鶏卵包装体は、容器の蓋体を容器本体から容易に分離することができるようにしたものであるから、容器本体に鶏卵を載せた状態のまま、冷蔵庫内に収容して使用することによって、容器から鶏卵を個別に取り出して冷蔵庫内に移し替える手数を必要とすることなく、使用時には容器本体に載せたままの鶏卵を容易に取り出して使用することができるという効果を有する。
【考案を実施するための最良の形態】
【００１５】
以上に説明した鶏卵包装体用の容器を製造するに当たっては、容器の膨出成形時に、容器のヒンジ部に沿って、切断開封用の糸なり紐なりを取り付けるか、ミシン目なりそれに類する開封用の切断線を形成しておけばよい。
【実施例】
【００１６】
以下において、その実施例を図面に基づいて具体的に説明する。図１乃至４は本考案の第１実施例を説明する鶏卵包装用容器とその包装体について示したものであって、図１は閉蓋状態とした鶏卵包装容器の平面図、図２は同容器の斜視図、図３は同容器を使用した包装体の封緘前の状態を示す斜視図、図４は同包装体の封緘状態を示す斜視図である。
【００１７】
而して、該第１実施例に示した鶏卵包装用容器Ｃは、ポリエチレンテレフタレート（ＰＥＴ）樹脂のシートを被成形素材として、周知の圧空成形手段や真空成形手段もしくはこれらを併用した膨出成形手段によって膨出成形された鶏卵包装用容器であって、容器本体１は、同図１の下側に示したように、鶏卵の下半部を個別に収容する個別凹部１１，１１…を、前後２列、横方向５個宛、合計１０個の鶏卵を個別に収容させるようにしてあり、蓋体２は、同図１の上側に示したように、幅方向の中央横方向に円錐形の支柱２３を形成して、鶏卵の上方を覆う一連の空間２１を備えさせたものであり、これら両体１，２は、図１の上下方向中間部で折り畳み自在としたヒンジ部３によって連結されている。
【００１８】
このヒンジ部３には、図１，２に示したように、その中央線に沿って長さ方向の全長に亘って延びる樹脂製の切断開封用紐４が配置されている。この切断開封用紐４は、容器の開封時に容器本体１と蓋体２とを分離するための分離手段として配置され、その左右両端部分４１，４１がヒンジ部３に加熱融着手段によって接着されている。また、このヒンジ部３の両端部分には、紐４の接着部の両側（図１の上下方向両側）に、初期切断を容易にするための切り込み３１，３１を形成してあり、その間の部分を切断開始時に指先で摘むための摘み部３２としてある。
【００１９】
このように形成した容器Ｃを用いて前記容器本体１における各個別凹部１１，１１…に鶏卵を収容し、その上面を蓋体２で覆って図３のように閉蓋状態として、容器本体１と蓋体２との遊端側に形成されたフランジ部１２，２２どうしを重ね合わせる。この姿勢を保持させて、背面側に接着剤を塗布した封緘用接着テープ５を、側面視横Ｕ字形に折り曲げながら両フランジ部１２，２２を挟み込んで、図４に示したようにテープ止めする。このようにして、鶏卵包装体Ａを得る。
【００２０】
この商品を市場で購入した購入者は、帰宅して鶏卵を冷蔵庫内に保管するのに際して、前記の接着テープ５を斜め外方から引き剥がし方向に向かって引き剥がすとともに、ヒンジ部３の両側に形成してある摘み部３２の何れかを摘んで斜め外側から折り返し方向に向かって引っ張り、切断開封用紐４によってヒンジ部３を切断しながら開封する。この接着テープ５の除去と切断開封用紐４によるヒンジ部３の切断開封との何れを先にしてもよいことは改めて言うまでもない。このようにして蓋体２を容器本体１から完全に分離し容器本体１の上方を解放する。また、このようにして容器本体１は、上方を解放した状態で、鶏卵を容器本体１に載せたまま冷蔵庫内の卵収容部か一般冷蔵室に収容させる。
【００２１】
このように容器本体１に鶏卵を載せた状態のまま冷蔵庫内に収容させておくことによって、容器から一つづつ鶏卵を取り出して冷蔵庫内の卵収容部に移し替える手数を全面的に省略することができる。また、その後の鶏卵の使用に際しては、容器本体１に載ったままの鶏卵を必要量直ちに取り出して使用することができる。
【００２２】
この実施例に示した鶏卵包装用容器Ｃは、図示のように、容器本体１に形成されている鶏卵収容用の個別凹部１１の数は、１０個に限られるものではなく、前記のように例えば前後２列、左右３個、合計６個の鶏卵収容用個別凹部１１を形成してあるものであってもよく、前後２列、左右４個、合計８個の容器や、前後２列、左右６個、合計１２個形成してある容器や或いは、前後３列、左右５個、合計１５個、前後４列、左右５個、合計２０個の凹部を形成してあるもの等各種の容器に本考案は適用できるものである。
【００２３】
図５及び図６は第２実施例を示した図である。ここに示した鶏卵包装用容器Ｃは、鶏卵の下半部を収容する２列５個計１０個の個別凹部１１を形成した容器本体１と、鶏卵の上面を覆う一連の空間を有する凹部２１を備えた蓋体２とが、両体１，２を接続するヒンジ部３で一体的に形成してある容器である。この点は、前記第１実施例に示した容器と同じである。而して、ここに示した容器Ｃは、図５にみられるように、ヒンジ部３に、その長さ方向に沿って２本のミシン目状の、またはミシン目に類する開封用の切断線４を形成してある構造としたものである。また、このヒンジ部３の両端には、前記第１実施例に示したのと同様に、初期切断を容易にするための切り込み３１，３１を形成し、その間の部分を切断開始時に指先で摘むための摘み部３２としてある。
【００２４】
図６に示したように、このような構造とした鶏卵包装用容器Ｃを用いて鶏卵を内装した鶏卵包装体Ａを開封するには、前記第１実施例に示した包装体Ａの場合と同様に、同図６に矢印で示したように、接着テープ５を矢印方向に向かって引き剥がし、別途ヒンジ部３の両側に形成してある一方の摘み部３２を摘んで矢印方向に向かって引っ張り、切断開封用切断線４としてのミシン目に沿って開封する。このようにして、蓋体２を容器本体１から完全に分離し容器本体１の上方を解放する。以下の使用方法は、前記第１実施例において説明した通りに行えばよい。
【００２５】
図７及び図８は第３実施例を示した図である。図９はその変形例を示したものである。ここに示した鶏卵包装用容器Ｃの形状そのものは、前記第１実施例に示した容器Ｃと同じものである。而して、ここに示した容器Ｃは、図７にみられるように、ヒンジ部３を切断開封するための切断線４としての糸を、ヒンジ部３の長さ方向に沿ってこれをループ状に取り巻くように配糸して、その両端部分を結節４２した構造としたものである。
【００２６】
また、該実施例に示した鶏卵包装用容器Ｃは、該容器Ｃを用いて鶏卵を内装した後のフランジ部１２，２２どうしの接着封緘を、図８に示したように、スポット溶着手段によって加熱溶着６し、鶏卵包装体Ａとしたものである。
【００２７】
また、図９は、このスポット溶着手段に代えて、高周波振動手段によって加熱溶着６した封緘手段を示したものである。
【００２８】
このようにな構造とした鶏卵を内装した鶏卵包装体Ａを開封するには、先ず、切断開封用切断線４として配糸してある糸の、ヒンジ部３の両側から外側にループ状に出ている糸の一部を摘んで容器の外方向に引っ張ればよい。こうして糸によってヒンジ部３を切断することによりヒンジ部３を開封する。
【００２９】
このようにフランジ部を加熱融着手段によって封緘してある容器の場合には、ヒンジ部側の開封手段を利用してヒンジ部３に沿って容器を切断開封した後に、半開状態となった蓋体を容器本体から引き剥がすようにして、フランジ部１２，２２どうしの接着封緘部を引き剥がすことによって蓋体２を容器本体１から完全に分離し、容器本体１の上方を解放すればよい。
【００３０】
図１０乃至図１２に示した第４実施例は、容器Ｃにおけるヒンジ部３の中央線部分に沿ってミシン目状の、またはミシン目に類する開封用切断線４を１本だけ形成してある構造としたものである。また、このヒンジ部３の両端部分には、切り込みの先端部が切断線４の両端と一致するように、切断を容易にするための切り込み３３，３３を形成してある。
【００３１】
図１２は、このようにした容器に鶏卵を内装した後の容器を封緘する手段として、前記第１実施例に示したのと同様に、封緘用の接着テープ５で上下のフランジ部１２，２２どうしを封緘することを仮想線で示したものである。このようにした鶏卵包装体Ａを開封するには、先ず、この封緘用接着テープ５を引き剥がして容器を開封状態とした後、ミシン目状の開封用切断線４に沿って蓋体２を容器本体１から分離させることによって容器本体１の上方を解放すればよい。
【００３２】
以上において本考案の代表的と思われる実施例について説明したが、本考案にいうところの鶏卵包装体は、特定形状の容器のみに限定されるものではなく、本考案にいう前記の目的を達成することができる範囲内において適宜の形状の容器を使用することができるものである。
【産業上の利用可能性】
【００３３】
本考案にいう鶏卵包装体は、市場から購入後の冷蔵保存に当たって、鶏卵を容器から個々に取り出して冷蔵庫内に移し替える煩わしさを省略することができるので、市場に受け入れられて普及するものと期待される。
【図面の簡単な説明】
【００３４】
【図１】閉蓋状態とした鶏卵包装容器の平面図。
【図２】同容器の斜視図。
【図３】同容器を使用した包装体の封緘前の状態を示す斜視図。
【図４】同包装体の封緘状態を示す斜視図。
【図５】第２実施例の容器を示す斜視図。
【図６】同包装体の封緘状態を示す斜視図。
【図７】第３実施例の容器を示す斜視図。
【図８】同包装体の封緘状態を示す斜視図。
【図９】第３実施例の包装体の変形実施例を示す斜視図。
【図１０】第４実施例を示す平面図。
【図１１】同容器の斜視図。
【図１２】同包装体の封緘状態を示す斜視図。
【符号の説明】
【００３５】
１  容器本体
１１  個別凹部
１２  フランジ部
２  蓋体
２１  空間部
２２  フランジ部
３  ヒンジ部
４  分離手段
５  接着テープ
６  加熱溶着
【図１】
0003135717.tif 000003
【図２】
0003135717.tif 000004
【図３】
0003135717.tif 000005
【図４】
0003135717.tif 000006
【図５】
0003135717.tif 000007
【図６】
0003135717.tif 000008
【図７】
0003135717.tif 000009
【図８】
0003135717.tif 000010
【図９】
0003135717.tif 000011
【図１０】
0003135717.tif 000012
【図１１】
0003135717.tif 000013
【図１２】
0003135717.tif 000014